(57)【要約】【課題】携帯端末の表示部上のタッチスイッチは、高透明であり、表示の色目を損なわず、表面にぶかつきのないことなど光学的品位が限りなく要求される。また操作において、表面をタッチすることによる汚れは避けられず、指や掌で表示面が隠れるという問題点があった。【解決手段】携帯端末のタッチスイッチ入力において、タッチスイッチを表示部の背面側に配した携帯端末を提供し、背面側から逆文字及び普通文字による文字入力が可能で、表示情報に基づく入力を的確に行なうことが出来る。【選択図】図１
2004288077.tif 000002
【特許請求の範囲】
【請求項１】
タッチスイッチと表示部を有する携帯機器において、前記表示部の背面側に配された前記タッチスイッチから入力した逆文字及び普通文字が、前記表示部に普通文字表示されることを特徴とする携帯機器。
【請求項２】
タッチスイッチと表示部を有する携帯機器において、前記表示部の背面側に配された前記タッチスイッチから入力した逆文字及び普通文字が、前記表示部に普通文字表示される変換手段を有することを特徴とする請求項１に記載の携帯機器。
【請求項３】
前記タッチスイッチの中心位置と前記表示部の中心位置が、略同位置で積層されていることを特徴とする請求項１〜２のいずれかに記載の携帯機器。
【請求項４】
前記タッチスイッチの入力部と前記表示部の大きさが略１：１であることを特徴とする請求項１〜３のいずれかに記載の携帯機器。
【請求項５】
前記表示部に表示された文字を、文字の背面からの押圧により選択できることを特徴とする請求項１〜４のいずれかに記載の携帯機器。
【請求項６】
携帯電話用に用いることを特徴とする請求項１〜５のいずれかに記載の携帯機器。
【発明の詳細な説明】
【０００１】
【発明の属する技術分野】
本発明は、タッチスイッチの入力技術に係り、特に携帯電話や携帯端末等のタッチスイッチ入力において、表示部の背面側から入力する携帯機器に関する。
【０００２】
【従来の技術】
携帯機器においてはタッチスイッチ（タッチパネル）付きのものが増えているが、これらは携帯機器の表示部上のタッチスイッチを、指やペンで押圧または摺動して入力を行う利便性の優れたものである。しかし、タッチスイッチは表示部の上に配置することから、高透明であり、表示の色目を損なわず、表面にぶかつきのないことなど光学的品位が限りなく要求される。また操作において、表面をタッチすることによる汚れは避けられず、指や掌で表示面が隠れるという問題点があった。
【０００３】
その対策の一例として、携帯機器の背面にタッチスイッチを設けた方法が考案されている（例えば、特許文献１参照。）。これは表示部に選択項目を表示し、背面のスイッチにて所定位置を押圧操作することにより、希望する項目を選択出来るものである。
【０００４】
【特許文献１】特開２００２−７７３５７号公報
【０００５】
【発明が解決しようとする課題】
しかしながら携帯機器においては、希望する項目を選択出来るのみならず、文字入力を必要とすることがあり、本発明は携帯機器の背面のタッチスイッチから文字入力する携帯機器を提供するものである。
【０００６】
【課題を解決するための手段】
上述の課題を解決するために、請求項１に記載の発明の携帯機器は、タッチスイッチと表示部を有する携帯機器において、前記表示部の背面側に配された前記タッチスイッチから入力した逆文字及び普通文字が、前記表示部に普通文字表示されることを特徴とする。
【０００７】
また、請求項２に記載の発明は、タッチスイッチと表示部を有する請求項１に記載の携帯機器において、前記表示部の背面側に配された前記タッチスイッチから入力した逆文字及び普通文字が、前記表示部に普通文字表示される変換手段を有することを特徴とする。
【０００８】
また、請求項３に記載の発明は、請求項１〜２のいずれかに記載の携帯機器において、前記タッチスイッチの中心位置と前記表示部の中心位置が、略同位置で積層されていることを特徴とする。
【０００９】
また、請求項４に記載の発明は、請求項１〜３のいずれかに記載の携帯機器において、前記タッチスイッチの入力部と前記表示部の大きさが略１：１であることを特徴とする。
【００１０】
また、請求項５に記載の発明のは、請求項１〜４のいずれかに記載の携帯機器において、前記表示部に表示された文字を、文字の背面からの押圧により選択できることを特徴とする。
【００１１】
また、請求項６に記載の発明は、請求項１〜５のいずれかに記載の携帯機器において、携帯電話用に用いることを特徴とする。
【００１２】
【発明の実施の形態】
本発明による携帯機器は、携帯機器の表示面の背面側から逆文字及び普通文字で入力できる点に特徴を有している。以下、本発明の実施の形態を図面に基づいて詳細に説明する。
【００１３】
図１は本発明における携帯機器の一実施の形態を示し、図１（ａ）はその正面図、（ｂ）は裏面図である。携帯機器１には通常の携帯機器同様、表示部２、キースイッチ３が正面に配置されている。
【００１４】
そしてこの発明の携帯機器１の裏面側にはタッチスイッチ４が取りつけられている。
【００１５】
表示部２とキースイッチ３の大きさは特に限定されることはなく、キースイッチ３を省略することも可能である。キースイッチ３は通常プッシュ釦式で、テンキーやファンクッションキーである。
【００１６】
なお通常の携帯機器では、アンテナや電源接続部、スピーカ、マイクなどが付属されているものもあるが、１図では省略している。
【００１７】
勿論タッチスイッチ４は透明である必要はなく、指紋などが付着しても何ら支障はない。タッチスイッチ４は文字入力の出来るアナログ型タッチスイッチで、一例としては、一定間隔を置いて対向配置された上側抵抗膜と下側抵抗膜からなる。タッチスイッチが複数積層されたものであってもよい。
【００１８】
本発明の特徴である裏面のタッチスイッチ４は、表示部２と中心位置が背中合せで、かつ大きさも略同一であることが好ましい。この場合、背面の押点と略対向点に表示点を位置するよう制御すると、作業点と認識点が一致し操作性がよい。
中心位置がずれていても、大きさが略同一でなくても操作は可能ではある。
【００１９】
図２に指での文字入力の一例を示す。指６でタッチスイッチ４上に文字を描く。
【００２０】
文字は普通文字と逆文字がある。普通文字は通常の書物に用いられている文字で、表文字とも云われる。逆文字は、裏文字とも鏡文字ともいわれ、鏡に映すと表文字になる。図３に一例を示す。図３で（ａ）は普通文字、（ｂ）は逆文字である。
【００２１】
もし、入力文字が逆文字と決まっていれば、文字認識は逆文字認識のみを行なえばよい。一例として、入力された逆文字を、ソフト上で左右反転し、一般の普通文字のパターン認識ソフトで行なう。
【００２２】
しかし、入力文字は逆文字に限定されない。背面のタッチパネルからの文字入力は普及していないので、指のもって行き方、指の使い方、ペンの掴み方、端末の持ち方、入力者が持つ人と異なる場合など、いろんな場合がある。また入力途中で入力方法が変わる場合もある。このような場合、逆文字入力と普通文字入力が混在するので、両者が認識出来るソフトが必要となる。そのソフトは一例としてパターン認識と筆順認識で行なう。仮名文字や英数字の殆どは、逆文字にしてもパターン認識ができるのでパターン認識し、パターン認識出来ないものは筆順認識で判断する。例えば普通文字「ｂ」を逆文字にすると「ｄ」となり、ｂかｄかパターンで判断できない。この場合「縦線」を先に描いた方を「ｂ」とする。「ｐ」「ｑ」についても同様である。
【００２３】
文字入力エリアは表示部２の一部に限定しても良い。文字数を限定するエリアを設けてもよい。入力方法は勿論ペンを使用してもよいし、指先に先の尖ったものを装着してもよい。
【００２４】
入力された文字は、仮名漢字変換等を行なうが、ダブルクリックや、図４のように携帯機器に設けた変換スイッチ８を操作して行なうようにしてもよい。携帯電話の場合の変換スイッチ８の位置は、親指で操作出来る範囲がよい。
【００２５】
なお、本発明が上記実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００２６】
【発明の効果】
本発明は、以上説明したような形態で実施され、次のような効果がある。タッチスイッチを表示部の背面側に配したことにより、タッチスイッチは不透明でよく、透過率、色目など光学的課題はない。このことは、ますます高精細化が進む液晶の価値に何ら影響を及ぼさない。また操作において、また指や掌で表示面が隠れるということがないので、表示情報に基づき、的確に背面側から逆文字及び普通文字による文字入力を行なうことが出来る。
【図面の簡単な説明】
【図１】本発明の携帯端末一例を示す説明図で、（ａ）は正面図、（ｂ）は裏面図。
【図２】本発明の操作説明図。
【図３】「あ」の字の普通文字と逆文字、（ａ）は普通文字、（ｂ）は逆文字。
【図４】本発明のモード切替スイッチの説明図。
【符号の説明】
１：携帯機器
２：表示部
３：キースイッチ
４：タッチスイッチ
６：指
８：変換スイッチ
【図１】
2004288077.tif 000003
【図２】
2004288077.tif 000004
【図３】
2004288077.tif 000005
【図４】
2004288077.tif 000006